(57)【要約】【課題】  子供たちに、ゲーム感覚で楽しく歯磨きをさせることを可能にする音声機構を備えた歯ブラシを提供することである。【解決手段】  ブラシ部分（１２）と、柄部分（１４）と、柄部分に内蔵された音声機構（１６）とを備え、音声機構が、バックミュージックと歯磨き部位を指示する指示メッセージとを含む所望の音声情報が予め記録されたメモリ領域をもつＩＣチップ（１６ａ１）が搭載された音声基板（１６ａ）を有することを特徴とする音声機構付き歯ブラシ（１０）が提供される。【選択図】  図１
2014054480.tif 000002
【特許請求の範囲】
【請求項１】
音声機構付き歯ブラシであって、
ブラシ部分と、
柄部分と、
前記柄部分に内蔵された音声機構とを備え、
前記音声機構が、バックミュージックと歯磨き部位を指示する指示メッセージとを含む所望の音声情報が予め記録されたメモリ領域をもつＩＣチップが搭載された音声基板を有することを特徴とする歯ブラシ。
【請求項２】
前記ブラシ部分と前記柄部分が、別体のものとして形成されており、互いに着脱自在に構成されていることを特徴とする請求項１に記載された歯ブラシ。
【発明の詳細な説明】
【技術分野】
【０００１】
本発明は、音声機構を備えた歯ブラシに関する。
【背景技術】
【０００２】
歯磨きを適切にして歯の健康を維持することは、身体全体の健康にとっても重要なことである。しかしながら、歯磨き自体は単調な作業であるため、特に小さい子供に、歯磨きを適切にさせることは容易ではない。したがって、子供たちが、喜んで歯磨きをするような器具が望まれる。
【発明の開示】
【発明が解決しようとする課題】
【０００３】
本発明は、このような現状に鑑みて開発されたものであって、子供たちに、ゲーム感覚で楽しく歯磨きをさせることを可能にする音声機構を備えた歯ブラシを提供することを目的としている。
【課題を解決するための手段】
【０００４】
本願請求項１に記載の音声機構付き歯ブラシは、ブラシ部分と、柄部分と、前記柄部分に内蔵された音声機構とを備え、前記音声機構が、バックミュージックと歯磨き部位を指示する指示メッセージとを含む所望の音声情報が予め記録されたメモリ領域をもつＩＣチップが搭載された音声基板を有することを特徴とするものである。
【０００５】
本願請求項２に記載の音声機構付き歯ブラシは、前記請求項１の歯ブラシにおいて、前記ブラシ部分と前記柄部分が、別体のものとして形成されており、互いに着脱自在に構成されていることを特徴とするものである。
【発明の効果】
【０００６】
本発明の音声機構付き歯ブラシによれば、特に子供たちにゲーム感覚で楽しく歯磨きをさせることができるので、歯磨きの適切な習慣づけを行うことができる。また、所定の時間、音声が流れるので、音声が流れている間、歯磨きを行えば、所要の歯磨き時間を確保することができる。本発明の音声機構付き歯ブラシを用いることにより、歯磨き好きの子供になることが期待できる。
【図面の簡単な説明】
【０００７】
【図１】図１は、本発明の好ましい実施形態に係る音声機構付き歯ブラシの全体を示した斜視図である。
【図２】図２は、図１の音声機構付き歯ブラシにおいてブラシ部分と柄部分とを分離した状態を示した斜視図である。
【図３】図３は、図１の音声機構付き歯ブラシに内蔵される音声機構を示した模式図である。
【発明を実施するための形態】
【０００８】
次に図面を参照して、本発明の好ましい実施の形態に係る音声機構付き歯ブラシについて詳細に説明する。図１は、本発明の好ましい実施の形態に係る音声機構付き歯ブラシを示した全体斜視図である。図１において全体として参照符号１０で示される本発明の好ましい実施の形態に係る音声機構付き歯ブラシは、ブラシ部分１２と、柄部分１４とを備えている。
【０００９】
ブラシ部分１２の先端には、ブラシ１２ａが設けられている。ブラシ１２ａ自体は、通常のブラシを使用してよい。
【００１０】
好ましくは、ブラシ部分１２と柄部分１４は、別体のものとして形成されており、例えば、ねじ等によって、着脱自在に構成されている（図２には、ブラシ部分１２と柄部分１４が別体のものが示されており、柄部分１４の先端に設けられた雄ねじ部１４ａをブラシ部分１２の雌ねじ部１２ｂにねじ込むことによって、ブラシ部分１２と柄部分１４が一体になるように形成されている）。
【００１１】
柄部分１４には、音声機構１６が内蔵されている。図３は、音声機構１６の一例を示した模式図である。音声機構１６は、音声基板１６ａと、音声情報を出力するための音声情報出力部１６ｂと、音声基板１６ａに接続され、音声基板１６ａに電源を供給するための電池１６ｃとを有する。音声基板１６ａには、所望の音声情報が予め記録されたメモリ領域をもつＩＣチップ１６ａ１やコンデンサ、抵抗等の回路素子、及びスイッチ１６ａ２が搭載されている。音声機構１６を構成する各構成要素（音声基板１６ａ、音声情報出力部１６ｂ、電池１６ｃ）は、公知の適当なものを使用してよい。
【００１２】
なお、音声機構付き歯ブラシ１０は、水とともに使用するため、音声機構１６は、防水仕様にすることが望ましい。
【００１３】
ＩＣチップ１６ａ１に記録される音声情報は、任意のものでよいが、音声機構付き歯ブラシ１０の主たる使用想定者である子供たちに興味を抱かせるように、歯磨き時間（例えば、３分間）の間にアニメソング等のバックミュージックを流し、歯磨き部位を指示する音声を所定時間間隔で流すようなものが考えられる（例えば、歯磨き開始時に、「右上奥歯を磨きましょう」、３０秒後に、「今度は右下奥歯を磨きましょう」、６０秒後に、「今度は、左側に移ります。左上奥歯を磨きましょう」・・等の指示メッセージを流し、当該メッセージの中間（１５秒後、４５秒後・・・）に、「均等に丁寧に磨きましょう」等の指示メッセージを流す）。
【００１４】
次に、以上のように構成された音声機構付き歯ブラシ１０の使用法について説明する。最初に、スイッチ１６ａ２を押して、歯磨きを開始する。すると、音声機構１６から音声情報出力部１６ｂを介して所定の音声情報が流れ始める（例えば、バックミュージックを背景にして、「まず最初に、右上奥歯を磨きましょう」とメッセージされる）。そして、流されるメッセージに合わせて指示部位を次々に磨いていく。歯磨き時間（例えば、３分間）が終わると、バックミュージックが終了するので、歯磨きを終える。
【００１５】
本発明は、以上の発明の実施の形態に限定されることなく、特許請求の範囲に記載された発明の範囲内で、種々の変更が可能であり、それらも本発明の範囲内に包含されるものであることはいうまでもない。
【００１６】
たとえば、図示されている歯ブラシの形状は、例示的なものであり、他の形状（例えば、ブラシの形状や大きさ、柄部分の形状や大きさ等）を採用してもよい。また、ブラシ部分１２と柄部分１４の着脱自在な構成は、図２に示されたものに限定されず、例えば、ブラシ部分１２に雄ねじ部を設けてもよく、或いは、ねじ部ではなく、突起とそれに対応する凹部によって着脱自在に構成してもよい。
【００１７】
また、前記実施形態では、専ら子供の歯磨き用として説明されているが、大人にとって有用な音声情報（例えば、「ブラシが歯に当たる角度に注意しましょう」、「横磨きを止めましょう」等）をＩＣチップ１６ａ１に記録させることにより、大人用の歯ブラシとしても使用することができる。
【符号の説明】
【００１８】
１０  歯ブラシ
１２  ブラシ部分
１２ａ  ブラシ
１２ｂ  雌ねじ部
１４  柄部分
１４ａ  雄ねじ部
１６  音声機構
１６ａ  音声基板
１６ａ１  ＩＣチップ
１６ａ２  スイッチ
１６ｂ  音声情報出力部
１６ｃ  電池
【図１】
2014054480.tif 000003
【図２】
2014054480.tif 000004
【図３】
2014054480.tif 000005